(57)【要約】【課題】光学素子の平面形状は同じでありながら、厚みに多種のバリエーションが存在するものに関しては、光学素子の厚み毎に別のトレイを用意しなければならず、コスト高に繋がるという問題があった。【解決手段】上面に光学素子３を収容するための第１の凹所を有する下側トレイ２と、前記第１の凹所と対応する位置に第２の凹所を下面に設けた上側トレイ１との間に光学素子３を収納する光学素子用の梱包ケースであって、前記第２の凹所の内底面と光学素子の上面との隙間に弾性部材８と蓋部材９を配置した。【選択図】図１
2006160347.tif 000002
【特許請求の範囲】
【請求項１】
上面に光学素子を収容するための第１の凹所を有する下側トレイと、前記第１の凹所と対応する位置に第２の凹所を下面に設けた上側トレイとの間に光学素子を収納する光学素子用の梱包ケースであって、
前記第２の凹所の内底面と光学素子の上面との隙間に弾性部材と蓋部材を配置したことを特徴とする光学素子用梱包ケース。
【請求項２】
上面に矩形光学素子の四隅を保持するための段差部を有する下側トレイと、前記第１の段差部に保持された矩形光学素子と対応する位置の下面に凹所を設けた上側トレイとの間に光学素子を収納する光学素子用の梱包ケースであって、
前記凹所の内底面と矩形光学素子の上面との隙間に弾性部材と蓋部材を配置したことを特徴とする光学素子用梱包ケース。
【請求項３】
前記蓋部材の光学素子側の面に光学素子の四隅に当接する突起が形成されていることを特徴とする請求項２に記載の光学素子用梱包ケース。
【請求項４】
前記弾性部材が両面粘着部材であることを特徴とする請求項１乃至３のいずれかに記載の光学素子用梱包ケース。
【請求項５】
前記弾性部材の厚みを光学素子の厚みに応じて選択可能としたことを特徴とする請求項１乃至４のいずれかに記載の光学素子用梱包ケース。
【請求項６】
前記蓋部材の厚みを光学素子の厚みに応じて選択可能としたことを特徴とする請求項１乃至５のいずれかに記載の光学素子用梱包ケース。
【発明の詳細な説明】
【技術分野】
【０００１】
本発明は、光学素子を収容し搬送移動するための光学素子用梱包ケースに関するものである。
【背景技術】
【０００２】
光学素子は各種の光学装置に利用されており、光学素子製造メーカーから光学装置メーカーへと光学素子を搬送するために各種の梱包方法や梱包材が用いられている。
例えば、板状の水晶結晶板を用いた光学素子の場合、ホコリやゴミ等の付着を嫌うこと、及び振動や衝撃で破損し易いことから、梱包には密閉性と搬送中の緩衝に優れたものが望まれている。
【０００３】
光学素子を梱包する手段としては、箱型ケースの内部に設けた所定の形状の複数のスリットに光学デバイスを収容し蓋を被せた構造のものや、特開平１０−２３０９７５号公報に開示されたように、発砲樹脂に複数のスリットを形成した緩衝材を用いて矩形光学素子の四隅を各スリットに嵌め込み、光学素子を所定の間隔で積層したような状態で束ねて梱包すると云ったものがあった。
ところが、このような梱包では、光学装置メーカーが梱包材から光学素子を１つずつ取り出し、光学装置の組立ラインにセッティングし直さなければならないと云う煩雑さがあった。
【０００４】
そこで、近年では光学装置の組立ラインに光学素子を１つずつ載せ直す手間が省ける様にトレイ状の梱包材に光学素子を水平に収容保持し搬送することが一般的になりつつある。
例えば、特開平９−３２８１８０号公報に開示されている様に、平板状の２枚のトレイの間に光学素子を挟むように収容保持した梱包がある。
【０００５】
図３は上記公報に開示されたトレイ式梱包材の構成を示す断面図であり、上側トレイ１と下側トレイ２との間に光学素子３が挟持された状態で収容保持されている。
上側トレイ１は上側トレイ本体４と上側弾性体５とを備え、下側トレイ２は下側トレイ本体６と下側弾性体７とを備えている。
上下トレイ１、２には互いに対向する位置にそれぞれ凹所が形成されており、この凹所内に光学部品を収容する構造となっている。各凹所には段差が形成されており、この段差が光学部品の周縁部と当接してこれを保持するものである。
【０００６】
各トレイ本体４，６は所定の剛性を維持するためにＰＥＴ等の素材から形成されており、各弾性体５，７は接触する光学部品の緩衝材として、各トレイ本体４，６と光学素子との間に配置されており溶融ゴム等の素材から形成されている。
このような構成とすることによって、これを受け取った光学装置メーカーは上側トレイ１を取り外し、下側トレイ２に光学部品が搭載された状態で製造ラインに投入することができるので梱包材から各光学部品を取り出して製造ラインに載せ代える煩雑な工程が省略できるというメリットがある。
また、密閉性も高いので、搬送中に光学素子がホコリやゴミによって汚染されるという虞もなく、光学素子が緩衝材により囲まれているので衝撃による損傷も少ない。
【特許文献１】特開平１０−２３０９７５号公報
【特許文献２】特開平９−３２８１８０号公報
【発明の開示】
【発明が解決しようとする課題】
【０００７】
しかしながら、図３に示した様な従来の梱包方式では、光学素子の形状に応じて上下各トレイの構造を変更しなければならない。
例えば、光学素子の平面形状は同じでありながら厚みだけが異なるといった場合、具体的には、デジタルカメラの撮像素子の前面に配置するＯＬＰＦの様な光学フィルタのように同じ撮像素子サイズであっても画素数の違いに応じてその厚みを変更しなければならない場合には、その厚みに応じて上側トレイ１若しくは下側トレイ２のいずれかについて表面の凹凸形状を変更せざるを得ない。いずれのトレイを変更する場合でも金型を再設計する必要がある。
つまり、光学素子の平面形状は同じでありながら、厚みに多種のバリエーションが存在するものに関しては、光学素子の厚み毎に別のトレイを用意しなければならず、コスト高に繋がるという問題があった。
【課題を解決するための手段】
【０００８】
上述の課題を解決するため請求項１に係る発明は、上面に光学素子を収容するための第１の凹所を有する下側トレイと、前記第１の凹所と対応する位置に第２の凹所を下面に設けた上側トレイとの間に光学素子を収納する光学素子用の梱包ケースであって、前記第２の凹所の内底面と光学素子の上面との隙間に弾性部材と蓋部材を配置したことを特徴とするものである。
請求項２に係る発明は、上面に矩形光学素子の四隅を保持するための段差部を有する下側トレイと、前記第１の段差部に保持された矩形光学素子と対応する位置の下面に凹所を設けた上側トレイとの間に光学素子を収納する光学素子用の梱包ケースであって、前記凹所の内底面と矩形光学素子の上面との隙間に弾性部材と蓋部材を配置したことを特徴とするものである。
請求項３に係る発明は、前記蓋部材の光学素子側の面に光学素子の四隅に当接する突起が形成されていることを特徴とするものである。
請求項４に係る発明は、前記弾性部材が両面粘着部材であることを特徴とするものである。
請求項５に係る発明は、前記弾性部材の厚みを光学素子の厚みに応じて選択可能としたことを特徴とするものである。
請求項６に係る発明は、前記蓋部材の厚みを光学素子の厚みに応じて選択可能としたことを特徴とするものである。
【発明の効果】
【０００９】
本発明は、上側トレイと下側トレイを設計変更すること無く、弾性部材と蓋部材の厚みを光学部品の厚みに合わせて適宜選択すればよいので、厚みの異なる光学部品であっても梱包共通のトレイで梱包することが可能となるのでという利点がある。
【発明を実施するための最良の形態】
【００１０】
以下、本発明を実施形態例に基づいて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１１】
図１は、本発明に係る光学素子用梱包ケースの第１の実施形態例を示すものであって、（ａ）は断面図、（ｂ）は分解組立断面図である。同図に於いてはケースの一部を描いており実際にはこのようなものが複数個マトリックス状、或いは帯状に連結一体化したトレイ状の構成をなしている。
同図に示すように、上側トレイ１と下側トレイ２との間に光学素子３を挟むように収容する基本構成は従来のものと同様である。
本発明の特徴的な構成は、上側トレイ１の下面に比較的大きめの凹所を形成し、この凹所の内底面と光学素子３の上面との隙間に弾性部材８と蓋部材９とを配置したところにある。
【００１２】
実際には同図（ｂ）に示すように、先ず、下側トレイ２上面の凹所内に設けられた段差部１０に光学部品３を配置する。
この段差部１０は光学部品３の周縁を支持するように形成されている。これは光学素子の中央部を光が透過するよう使用されるため、この部分に傷が付かないようにするためである。
一方、上側トレイ１の下面には大きめの凹所１１が形成されており、この凹所１１の内底面に弾性部材８を配置し、この弾性部材８の下面に蓋部材９を配置する。
このとき、弾性部材８には蓋部材９が重力により落下せず、蓋部材９若しくは弾性部材８を交換するに際しては容易に引き剥がせる程度の吸着性を備えていることが望ましい。例えば、弾性部材としてはポリウレタンシートポリオレフィン系、アクリル系、シリコン系のような樹脂、各トレイと蓋部材の材質としてはＡＢＳ、ＰＰ、ＰＳ、ポリカの様な樹脂を用いれば良いであろう。
【００１３】
次に、上述のような準備を整えた上側トレイ１を光学部品３が載置された下側トレイ２の上に被せることによって同図（ａ）の様な収容状態となるのである。
蓋部材９の下面、即ち光学部品３側の面には凹所１２と段差部１３が形成されており、下側トレイ２の上面の構造と同様に光学部品３の周縁部を支持するように機能する。
尚、同図に示す上側トレイ１と下側トレイ２は全く同一の構成である。よって、このトレイを複数個積み重ねるように光学部品を収容することが可能である。
【００１４】
以上のように構成したので、光学部品３は梱包され搬送された際に外界から遮断されているのでホコリやゴミの付着を抑えることが可能であり、緩衝材として弾性部材８を配置したことにより搬送中の衝撃による光学部品３の破損を防止するこが可能であるという従来のトレイ型梱包材と同等の作用効果を維持しつつ、光学部品３の厚みに応じて弾性部材８の厚み、又は蓋部材の厚みを適宜変更するだけで上下のトレイを変更すること無く梱包することが可能となる著効を呈するのである。
【００１５】
図２は、下側トレイ２の上面構造例を示す斜視図であり、下側トレイ２の上面に複数の突起が形成されており、この突起に形成された段差部に光学素子の角部を挿入することで光学素子の四隅を保持することとなる。
このように光学素子の四隅を保持することにより光学素子が搬送中に面方向に回転すると云った事態を最小限に抑えることが可能となる。
【図面の簡単な説明】
【００１６】
【図１】本発明に係る光学素子用梱包ケースの（ａ）は断面図、（ｂ）は分解組立断面図である。
【図２】下側トレイの上面構造例を示す斜視図である。
【図３】従来の光学素子用梱包ケースの断面図である。
【符号の説明】
【００１７】
１    上側トレイ
２    下側トレイ
３    光学素子
８    弾性部材    
９    蓋部材
１０、１３    段差(突起)
【図１】
2006160347.tif 000003
【図２】
2006160347.tif 000004
【図３】
2006160347.tif 000005